(57)【要約】      （修正有）【課題】  視覚障害者が発信機の携帯を不要とすると共に、簡易なエレベーターの視覚障害者誘導装置を得る。【解決手段】乗場に設けられた指向性スピーカー３６からの音声が届く範囲内で、乗場の戸８からの第１位置、第２位置に来た人を検出する少なくとも二つの第１センサ，第２センサと、第１センサが人を検出すると、音声により１停止階に行きたい場合、範囲内の第１領域で停止することを指示すると共に、第２センサが人を検出すると、音声により第２停止階に行きたい場合、前記範囲内の第２領域で停止することを指示する音声案内手段と、第１センサが人を所定時間検出することにより第１停止階の呼びを登録し、第２センサが人を所定時間検出することにより第２停止階の呼びを登録する呼び登録部とを備えた。【選択図】図１
2007230742.tif 000002
【特許請求の範囲】
【請求項１】
エレベーターの乗場に設けられると共に、前記乗場から一定方向に前記エレベーターへの案内を音声により成す指向性スピーカーと、
該指向性スピーカーからの音声が届く範囲内で、前記乗場の戸からの第１位置、第２位置に来た人を検出する少なくとも二つの第１センサ，第２センサと、
前記第１センサが人を検出すると、前記音声により第１停止階に行きたい場合、前記範囲内の第１領域で停止することを指示すると共に、前記第２センサが人を検出すると、前記音声により第２停止階に行きたい場合、前記範囲内の第２領域で停止することを指示する音声案内手段と、
前記第１センサが前記人を所定時間の間検出することにより前記第１停止階の呼びを登録し、前記第２センサが前記人を所定時間の間検出することにより前記第２停止階の呼びを登録する呼び登録手段と、
を備えたことを特徴とするエレベーターの視覚障害者誘導装置。
【請求項２】
前記音声案内手段は、前記呼び登録手段に前記かごの呼びが登録されると、前記指向性スピーカーから前記乗場に向かって進むようにと音声を発声する、
ことを特徴とする請求項１に記載のエレベーターの視覚障害者誘導装置。
【発明の詳細な説明】
【技術分野】
【０００１】
本発明は、エレベーターの視覚障害者誘導装置に関するものである。
【背景技術】
【０００２】
従来のエレベーターの視覚障害者誘導装置は下記特許文献１に記載のように、視覚障害者をエレベーターに誘導する視覚障害者誘導装置において、エレベーターの設けられた建物に、その通路に沿って複数箇所に設けられた受信部と、これら受信部にそれぞれ対応して設けられ、視覚障害者が所有する発信機から発せられる信号を受信部が受信すると、視覚障害者に対しエレベーターの乗場に誘導する誘導信号を発信する発信部とを備えたたものである。
かかる視覚障害者誘導装置によれば、エレベーターを利用する視覚障害者を、エレベーターの乗場まで、誘導案内することができる為、視覚障害者は他人の手助けなく、曲がった通路があっても容易にエレベーターの乗場に到着することができ、エレベーターを利用することができる。
【特許文献１】特開２００１−１３９２３８号公報
【発明の開示】
【発明が解決しようとする課題】
【０００３】
しかしながら、上記エレベーターの視覚障害者誘導装置では、視覚障害者が発信機を所有しており、該発信機から発せられる信号に基づいて視覚障害者を乗場に誘導する信号を発生していた。このため、視覚障害者は発信機を必ず携帯した上で、エレベーターに乗り込まなければならないので、発信機の携帯が煩雑であるという課題があった。
【０００４】
本発明は上記課題を解決するためになされたもので、視覚障害者が発信機の携帯を不要とすると共に、簡易なエレベーターの視覚障害者誘導装置を提供することを目的とする。
【課題を解決するための手段】
【０００５】
第１の発明に係るエレベーターの視覚障害者誘導装置は、エレベーターの乗場に設けられると共に、前記乗場から一定方向に前記エレベーターへの案内を音声により成す指向性スピーカーと、該指向性スピーカーからの音声が届く範囲内で、前記乗場の戸からの第１位置、第２位置に来た人を検出する少なくとも二つの第１センサ，第２センサと、前記第１センサが人を検出すると、前記音声により第１停止階に行きたい場合、前記範囲内の第１領域で停止することを指示すると共に、前記第２センサが人を検出すると、前記音声により第２停止階に行きたい場合、前記範囲内の第２領域で停止することを指示する音声案内手段と、前記第１センサが前記人を所定時間の間検出することにより前記第１停止階の呼びを登録し、前記第２センサが前記人を所定時間の間検出することにより前記第２停止階の呼びを登録する呼び登録手段と、を備えたことを特徴とするものである。
【０００６】
第２の発明に係るエレベーターの視覚障害者誘導装置における音声案内手段は、呼び登録手段にかごの呼びが登録されると、指向性スピーカーから乗場に向かって進むようにと音声を発声する、ことを特徴とするものである。
【発明の効果】
【０００７】
第１の発明によれば、視覚障害者が発信機の携帯を不要とすると共に、簡易なエレベーターの視覚障害者誘導装置を得ることができるという効果がある。
【０００８】
第２の発明によれば、視覚障害者を乗場まで簡易に案内できるという効果がある。
【発明を実施するための最良の形態】
【０００９】
実施の形態１．
本発明の一実施の形態を図１乃至図３によって説明する。図１は本発明の一実施の形態を示すエレベーターの乗場の正面図(a)、エレベーターの乗場付近の側面図(b)、図２は一実施の形態を示すエレベーターの乗場付近の平面図、図３は一実施の形態によるエレベーターの視覚障害者誘導装置のフロック図である。
図１(a)において、乗場床４には、扉２から離れて設けられた昇降路を仕切る側壁５が立設されている。この側壁５には乗場出入口６が形成されており、三方枠７が取り付けられている。この三方枠７で仕切られた乗場出入口６には、乗場戸８が設けられており、人３が近くに立っている。
【００１０】
図１(a)において、三方枠７を構成する一側の縦枠には、かご呼び釦２１と、かごの到着を知らせるホールランタン２３とが設けられている。乗場出入口６の上部には、乗場インジケータ２５と、乗場出入口６から一定方向としての前面方向にエレベーターへの案内を音声により成す指向性を有するスピーカー３６とが設けられている。
【００１１】
図１(b)において、通路の天井１１には、扉２から乗場出入口６までの間に、等間隔に離れて設けられ、人３を検出する進入センサ５０、第１センサ５１〜第３センサ５３が設けられている。
図２おいて、スピーカー３６は、所定の音声領域３６aで前進方向に音声を発声するように形成されており、その音声領域３６a内に人３が乗場から離れた順に進入領域(進入位置)５０ａ、第１領域(第１位置)５１a〜第３領域(第３位置)５３aを有している。
【００１２】
図３において、視覚障害者誘導装置３０は、進入センサ５０、第１センサ５１〜第３センサ５３が人を検出した進入信号、第１人検出信号〜第３人検出信号を受ける制御部３２と、制御部３２からの第１センサ５１が人３を検出すると、第１人検出信号を発生して音声により第１停止階としての２階に行く場合、音声領域５１aの範囲で第１領域５１aで停止することを音声により指示し、第２センサ５２が人３を検出すると、第２人検出信号を発生して音声により第２停止階としての３階に行く場合、音声領域５１aの範囲で第２領域５２aで停止することを音声により指示し、第３センサ５３が人３を検出すると、第３人検出信号を発生して音声により第３停止階としての４階に行く場合、音声領域５１aの範囲で第３領域５３aで停止することを音声により指示する音声案内部３４と、音声案内部３４の出力に指向性を有するスピーカー３６とが設けられている。
【００１３】
図３において、視覚障害者誘導装置３０は、制御部３２の出力に接続されると共に、第１センサ５１が人３を所定時間の間検出することにより２階の呼びを登録し、第２センサ５２が人３を所定時間の間検出することにより３階の呼びを登録し、第３センサ５３が人３を所定時間の間検出することにより４階の呼びを登録する呼び登録部４０が設けられている。
音声案内部３４には、呼び登録部４０にかごの呼びが登録されると、スピーカー３６から乗場に向かって進むようにと音声を発声するように形成されている。
呼び登録部４０には、呼び釦２１と、乗場インジケータ２５と、ホールランタン２３と、モータ制御部６０とが接続されている。
【００１４】
上記のように構成されたエレベーターの視覚障害者誘導装置の動作を、図１乃至図４を参照して説明する。図４はエレベーターの視覚障害者誘導装置の動作を示すフローチャートである。いま、扉２から人３が進入して進入領域５０aに来ると、進入センサ５０が人３を検出して進入信号を発生して制御部３２に入力する(ステップＳ１０１)。制御部３２からの制御信号により音声案内部３４は、「手前がエレベーターの乗場です。」という案内をスピーカー３６から発生する(ステップＳ１０３)。
【００１５】
乗場の方向に向かって進行すると、人３が第１領域５１aに来ると、第１センサ５１が人３を検出して第１人検出信号を発生して制御部３２に入力する(ステップＳ１０５)。制御部３２からの制御信号により音声案内部３４は、「一旦停止すると、かごの２階の呼びが登録されます。」という案内をスピーカー３６から発生する(ステップＳ１０７)。
制御部３２は第１センサ５１からの第１人検出信号により人３が一旦停止したか否かを判断し(ステップＳ１０９)、一旦停止すると、呼び登録部４０が２階への呼びを登録する(ステップＳ１１１)。一方、人３が一旦停止しないと、乗場の方向に向かってさらに人３が進行し、人３が第２領域５２aに来ると、第２センサ５２が人３を検出して第２人検出信号を発生して制御部３２に入力する(ステップＳ１１３)。
制御部３２からの制御信号により音声案内部３４は、「一旦停止すると、かごの３階の呼びが登録されます。」という案内をスピーカー３６から発生する(ステップＳ１１５)。
制御部３２は第２センサ５２からの第２人検出信号により人３が一旦停止したか否かを判断し(ステップＳ１１７)、一旦停止すると、呼び登録部４０が３階への呼びを登録する(ステップＳ１１９)。かごを１階に移動し、上記呼び登録部４０に登録された運転を成す。
【産業上の利用可能性】
【００１６】
本発明は、エレベーターに適用できる。
【図面の簡単な説明】
【００１７】
【図１】本発明の一実施の形態を示すエレベーターの乗場の正面図(a)、エレベーターの乗場付近の側面図(b)である。
【図２】本発明の一実施の形態を示すエレベーターの乗場付近の平面図である。
【図３】本発明の一実施の形態によるエレベーターの視覚障害者誘導装置のフロック図である。
【図４】エレベーターの視覚障害者誘導装置の動作を示すフローチャートである。
【符号の説明】
【００１８】
３  人、３０  視覚障害者誘導装置、３４ 音声案内部、３６  スピーカー、４０  呼び登録部、５０  進入センサ、５１ 第１センサ、５２  第２センサ、５１a 第１位置、５２a 第２位置。
【図１】
2007230742.tif 000003
【図２】
2007230742.tif 000004
【図３】
2007230742.tif 000005
【図４】
2007230742.tif 000006